(57)【要約】  無線端末（２）への下り送信データを一時的に保持する送信バッファ（１−２）と、下り無線回線についての無線端末（２）での受信品質を示す下り回線品質情報に基づいて、下り無線回線の送信品質に関する下り送信パラメータを決定する送信パラメータ決定手段（１−４）と、少なくとも下り回線品質情報と送信バッファ（１−２）における未送信の下り送信データ量に関する情報とに基づいて、上記決定された送信パラメータを制御する送信パラメータ制御手段（１−１１）とをそなえる。これにより、無線送信装置（１）における送信バッファ（１−２）に蓄積されている未送信のデータ量も考慮して、送信パラメータを決定することができ、無線送信装置（１）から無線端末（２）へのダウンリンク（下り無線回線）のスループットの向上を図ることができる。【特許請求の範囲】
【請求項１】
無線端末へ下り無線回線を通じて送信すべき下り送信データを一時的に保持する送信バッファと、
該下り無線回線についての該無線端末での受信品質を示す下り回線品質情報に基づいて、該下り無線回線の送信品質に関する下り送信パラメータを決定する送信パラメータ決定手段と、
少なくとも該下り回線品質情報と該送信バッファにおける未送信の下り送信データ量に関する情報とに基づいて、該送信パラメータ決定手段で決定された送信パラメータを制御する送信パラメータ制御手段とをそなえたことを特徴とする、無線送信装置。
【請求項２】
該送信パラメータ制御手段が、
該下り回線品質情報により提示される該下り無線回線の第１の送信品質よりも、該送信バッファにおける未送信の下り送信データを一括送信するのに必要な第２の送信品質の方が高いか否かを判定する判定部と、
該判定部で上記第１の送信品質よりも上記第２の送信品質の方が高いと判定されると、該下り無線回線の送信品質が高くなる方向に該送信パラメータを調整する送信パラメータ調整部とをそなえたことを特徴とする、請求項１記載の無線送信装置。
【請求項３】
該送信パラメータ調整部が、
該判定部にて、上記第１の送信品質が上記第２の送信品質と同じか上記第２の送信品質よりも高いと判定されると、該送信パラメータ決定手段で決定した該送信パラメータを維持又は該下り無線回線の送信品質が低くなる方向に調整すべく構成されたことを特徴とする、請求項２記載の無線送信装置。
【請求項４】
該送信パラメータ制御手段が、
前記の下り回線品質情報及び該送信バッファにおける未送信の下り送信データ量に関する情報に加えて、該下り無線回線について保証すべき保証品質情報に基づいて、該送信パラメータ決定手段で決定された送信パラメータを制御すべく構成されたことを特徴とする、請求項１記載の無線送信装置。
【請求項５】
該送信パラメータ制御手段が、
該無線端末から報告される該下り送信データの正常又は異常受信を示す応答情報に基づいて下り送信データレートを算出するデータレート算出部と、
該データレート算出部で算出された下り送信データレートと該保証品質情報としての所定の保証データレートとを比較する比較部と、
該下り回線品質情報により提示される該下り無線回線の第１の送信品質よりも、該送信バッファにおける未送信の下り送信データを一括送信するのに必要な第２の送信品質の方が高いか否かを判定する判定部と、
該比較部による比較の結果、該下り送信データレートよりも該保証データレートの方が高く、かつ、該判定部で上記第１の送信品質よりも上記第２の送信品質の方が高いと判定されると、該下り無線回線の送信品質が高くなる方向に該送信パラメータを調整する送信パラメータ調整部とをそなえたことを特徴とする、請求項４記載の無線送信装置。
【請求項６】
該送信パラメータ調整部が、
該判定部にて、上記第１の送信品質が上記第２の送信品質と同じか上記第２の送信品質よりも高いと判定されると、該送信パラメータ決定手段で決定した該送信パラメータを維持又は該下り無線回線の送信品質が低くなる方向に調整すべく構成されたことを特徴とする、請求項５記載の無線送信装置。
【請求項７】
該送信パラメータが、該下り送信データの送信ブロックサイズであることを特徴とする、請求項１〜６のいずれか１項に記載の無線送信装置。
【請求項８】
該送信パラメータが、該下り送信データの送信ブロックサイズと、該下り送信データについての変調方式、マルチコード数、サブキャリア数及び送信電力値のいずれか１以上とを含むことを特徴とする、請求項１〜６のいずれか１項に記載の無線送信装置。
【請求項９】
無線端末へ下り無線回線を通じて送信すべき下り送信データを一時的に保持する送信バッファをそなえた無線送信装置において、
該下り無線回線についての該無線端末での受信品質を示す下り回線品質情報に基づいて、該下り無線回線の送信品質に関する下り送信パラメータを決定し、
少なくとも該下り回線品質情報と該送信バッファにおける未送信の下り送信データ量に関する情報とに基づいて、上記決定した送信パラメータを制御することを特徴とする、無線送信装置における下り送信制御方法。
【請求項１０】
該下り回線品質情報により提示される該下り無線回線の第１の送信品質よりも、該送信バッファにおける未送信の下り送信データを一括送信するのに必要な第２の送信品質の方が高いか否かを判定し、
上記第１の送信品質よりも上記第２の送信品質の方が高いと判定すると、該下り無線回線の送信品質が高くなる方向に該送信パラメータを調整することを特徴とする、請求項９記載の無線送信装置における下り送信制御方法。
【請求項１１】
上記第１の送信品質が上記第２の送信品質と同じか上記第２の送信品質よりも高いと判定すると、前記決定した送信パラメータを維持又は該下り無線回線の送信品質が低くなる方向に調整することを特徴とする、請求項１０記載の無線送信装置における下り送信制御方法。
【請求項１２】
前記の下り回線品質情報及び該送信バッファにおける未送信の下り送信データ量に関する情報に加えて、該下り無線回線について保証すべき保証品質情報に基づいて、前記決定し送信パラメータを制御することを特徴とする、請求項９記載の無線送信装置における下り送信制御方法。
【請求項１３】
該無線端末から報告される該下り送信データの正常又は異常受信を示す応答情報に基づいて下り送信データレートを算出し、
算出した下り送信データレートと該保証品質情報としての所定の保証データレートとを比較し、
該下り回線品質情報により提示される該下り無線回線の第１の送信品質よりも、該送信バッファにおける未送信の下り送信データを一括送信するのに必要な第２の送信品質の方が高いか否かを判定し、
上記比較の結果、該下り送信データレートよりも該保証データレートの方が高く、かつ、上記判定の結果、上記第１の送信品質よりも上記第２の送信品質の方が高いと、該下り回線の送信品質が高くなる方向に該送信パラメータを調整することを特徴とする、請求項１２記載の無線送信装置における下り送信制御方法。
【請求項１４】
上記第１の送信品質が上記第２の送信品質と同じか上記第２の送信品質よりも高いと判定すると、前記決定した送信パラメータを維持又は該下り無線回線の送信品質が低くなる方向に調整することを特徴とする、請求項１３記載の無線送信装置における下り送信制御方法。
【請求項１５】
該送信パラメータが、該下り送信データの送信ブロックサイズであることを特徴とする、請求項９〜１４のいずれか１項に記載の無線送信装置における下り送信制御方法。
【請求項１６】
該送信パラメータが、該下り送信データの送信ブロックサイズと、該下り送信データについての変調方式、マルチコード数、サブキャリア数及び送信電力値のいずれか１以上とを含むことを特徴とする、請求項９〜１４のいずれか１項に記載の無線送信装置における下り送信制御方法。
【発明の詳細な説明】
【技術分野】
【０００１】
本発明は、無線送信装置及び同装置における下り送信制御方法に関し、例えば、無線基地局等の無線送信装置から携帯電話等の無線端末への下り無線回線のスループット向上に好適な技術に関する。
【背景技術】
【０００２】
図７は従来の無線通信システムの構成を示すブロック図で、この図７に示す無線通信システムは、基地局制御装置（ＲＮＣ：Radio Network Controller）及び基地局（ＢＴＳ：Base Transceiver Station）としての機能を具備するネットワーク側装置（無線送信装置）１００と、このネットワーク側装置１００と無線によりアクセスして通信し得る１台以上の移動局２００とをそなえて構成され、ネットワーク側装置１００は、移動局２００の受信環境（受信品質）に応じて移動局２００への下り通信データの送信ブロックサイズや拡散コード数（マルチコード数）、変調方式等の送信パラメータを適応的に変更することができる機能を有し、そのために、例えば、データバッファ部１０２，符号化（Cording）部１０３，ＴＦＲＣ〔TCP（Transmission Control Protocol）-Friendly Rate Control〕選択部１０４，変調（Modulating）部１０５，制御データ生成部１０６，制御チャンネル送信部１０７，データ送信部１０８，送信電力制御部１０９，フィードバックデータ受信部１１０，TxCQI決定部１１１，ＡＣＫ／ＮＡＣＫ検出部１１４及びＣＱＩ検出部１１５をそなえて構成される。【０００３】
一方、移動局２００は、ネットワーク側装置１００からの下り無線回線（ダウンリンク）の受信品質を測定してその情報をネットワーク側装置１００へ通知する機能を有し、そのために、例えば、制御チャンネル（ＣＨ）受信部２０１，ＳＩＲ測定部２０２，SIR-CQI変換部２０３，データチャンネル（ＣＨ）受信部２０４，ＡＣＫ／ＮＡＣＫ判定部２０５，フィードバックデータ生成部２０６及びフィードバックデータ送信部２０７をそなえて構成される。【０００４】
ここで、ネットワーク側装置１００において、データバッファ部１０２は、送信データ１０１を一時的に記憶するものであり、符号化部１０３は、データバッファ部１０２からの送信データ１０１をＴＦＲＣ選択部１０４で選択（決定）された送信ブロックサイズ（TBS）、マルチコード数等の送信パラメータに従って符号化するものであり、変調部１０５は、ＴＦＲＣ選択部１０４で選択（決定）されたサブキャリア数やマルチコード数、変調方式等の送信パラメータに従って送信データ１０１を変調するものである。【０００５】
制御データ生成部１０６は、ダウンリンクの制御チャンネルを通じて移動局２００へ送信すべき制御データを生成するもので、例えば、移動局２００での受信ＳＩＲ（Signal-to-Interference Ratio）測定のための制御データ等を生成できるようになっている。制御チャンネル送信部１０７は、制御データ生成部１０６で生成された制御データを制御チャンネルのデータとして送信するものである。【０００６】
データ送信部１０８は、変調部１０５で変調された送信データ１０１をダウンリンクのデータチャンネルにより送信するもので、その送信電力は送信電力制御部１０９によって制御されるようになっている。送信電力制御部１０９は、ＴＦＲＣ選択部１０４で選択されたサブキャリア、送信ブロックサイズ、マルチコード数、変調方式に応じた送信電力についてのオフセット値に従ってデータ送信部１０８からの送信電力を制御するものである。【０００７】
フィードバックデータ受信部１１０は、移動局２００から上り無線回線（アップリンク）のフィードバックデータチャンネルにより送信されてくるフィードバックデータ（上り通信データ）を受信するものであり、ＡＣＫ／ＮＡＣＫ検出部１１４は、フィードバックデータ受信部１１０で受信されたフィードバックデータから、送信データ１０１についての正常受信を表すＡＣＫ又は異常受信を表すＮＡＣＫを検出するもので、ＮＡＣＫが検出された場合には、例えば、符号化部１０３にその旨が通知されて、既に送信された送信データ１０１の再送が実施されるようになっている。【０００８】
ＣＱＩ検出部１１５は、フィードバックデータ受信部１１０で受信されたフィードバックデータから、移動局２００での受信品質情報である受信ＣＱＩ（Channel Quality Indicator）情報（RxCQI）を検出するものであり、TxCQI決定部１１１は、ＣＱＩ検出部１１５で検出されたＣＱＩ情報を基に送信ＣＱＩ情報（TxCQI）を決定するもので、ここで決定した送信ＣＱＩ情報に基づいてＴＦＲＣ選択部１０４においてサブキャリア数、送信ブロックサイズ、マルチコード数、変調方式等の送信パラメータが選択されるようになっている。【０００９】
一方、移動局２００において、制御チャンネル受信部２０１は、ネットワーク側装置１００からダウンリンクの制御チャンネルにより送信されてくる制御データを受信するものであり、ＳＩＲ測定部２０２は、この制御チャンネル受信部２０１で受信された制御データに基づいて受信ＳＩＲを測定するものであり、SIR-CQI変換部２０３は、このＳＩＲ測定部２０２で測定された受信ＳＩＲを受信ＣＱＩ情報に変換するものである。【００１０】
データチャンネル受信部２０４は、ネットワーク側装置１００からダウンリンクのデータチャンネルにより送信されてくる送信データ１０１を受信するものであり、ＡＣＫ／ＮＡＣＫ判定部２０５は、データチャンネル受信部２０４において送信データ１０１が正常に受信（復調、復号）されたか否かを判定するもので、正常に受信できていればネットワーク側装置１００への応答としてＡＣＫ、正常に受信できていなければＮＡＣＫと判定するようになっている。【００１１】
フィードバックデータ生成部２０６は、ネットワーク側装置１００へ送信すべきアップリンクのフィードバックデータを生成するもので、例えば、上記SIR-CQI変換部２０３により得られたＣＱＩ情報や上記ＡＣＫ／ＮＡＣＫ判定部２０５での判定結果（ＡＣＫ／ＮＡＣＫ）をネットワーク側装置１００へのフィードバックデータ（応答情報）として生成しうるようになっている。フィードバックデータ送信部２０７は、フィードバックデータ生成部２０６で生成されたフィードバックデータをアップリンクのフィードバックデータチャンネルによりネットワーク側装置１００へ送信するものである。【００１２】
以下、上述のごとく構成された従来の移動通信システムの動作について説明すると、ネットワーク側装置１００は、制御データ生成部１０６及び制御チャンネル送信部１０７によりダウンリンクの制御チャンネルを通じて制御データを移動局２００向けに送信するとともに、符号化部１０３及び変調部１０５によって符号化及び変調を施された送信データ１０１をデータ送信部１０８によりダウンリンクのデータチャンネルを通じて移動局２００向けに送信する。【００１３】
移動局２００は、ダウンリンクの制御チャンネルを通じて制御チャンネル受信部２０１にて受信された上記制御データを基にＳＩＲ測定部２０２により受信ＳＩＲを測定し、その測定値をSIR-CQI変換部２０３によって受信ＣＱＩ情報に変換する。この受信ＣＱＩ情報は、フィードバックデータ生成部２０６及びフィードバックデータ送信部２０７によってネットワーク側装置１００へのフィードバックデータとしてアップリンクのフィードバックデータチャンネルを通じてネットワーク側装置１００へ送信される。【００１４】
また、移動局２００は、ダウンリンクのデータチャンネルを通じてデータチャンネル受信部２０４にて受信されたデータ１０１についてＡＣＫ／ＮＡＣＫ判定部２０５によりＡＣＫ／ＮＡＣＫ判定を行ない、その結果（ＡＣＫ／ＮＡＣＫ）をフィードバックデータ生成部２０６及びフィードバックデータ送信部２０７によってアップリンクのフィードバックデータチャンネルを通じてネットワーク側装置１００へ送信する。【００１５】
一方、ネットワーク側装置１００では、上述のごとくアップリンクのフィードバックデータチャンネルを通じて移動局２００から送信されてくる受信ＣＱＩ情報がＣＱＩ検出部１１５にて検出され、当該受信ＣＱＩ情報を基にTxCQI決定部１１１にて送信ＣＱＩ情報が決定され、決定した送信ＣＱＩ情報に応じてＴＦＲＣ選択部１０４にて送信データ１０１についてのサブキャリア数、送信ブロックサイズ、マルチコード数、変調方式等の送信パラメータが適応的に選択（変更）される。【００１６】
また、アップリンクのフィードバックデータチャンネルを通じて移動局２００から送信されてくるＡＣＫ又はＮＡＣＫがＡＣＫ／ＮＡＣＫ検出部１１４にて検出され、ＡＣＫが検出されれば次の送信データ１０１がデータバッファ部１０２から取り出されて符号化・変調されて送信され、ＮＡＣＫが検出されれば送信データ１０１の再送が行なわれる。
以上のように、従来の移動通信システムにおいては、移動局２００から報告される受信品質情報（RxCQI）に応じてダウンリンクの送信データ１０１についてのサブキャリア数、送信ブロックサイズ、マルチコード数、変調方式等の送信パラメータが適応的に決定されて、その時点で移動局２００にとって最良と思われる送信パラメータで送信データ１０１の送信が行なわれる。【００１７】
なお、上述したごとく受信ＣＱＩ情報に基づいて下りデータ通信のパラメータを適応的に変更する技術としては、他に下記特許文献１〜３によって提案されている技術がある。
特許文献１の技術は、パケット伝送用制御信号、各通信端末装置からのＣＱＩ信号、ＡＣＫ／ＮＡＣＫ信号に基づいてパケット送信する通信端末装置を決定し、ＣＱＩ信号及びパス数情報信号に基づいてＭＣＳ選択（変調方式及び符号化率の決定）を行なう技術である。【００１８】
特許文献２の技術は、ＣＱＩ信号及び送信電力に基づいて送信先装置におけるHS-PDSCH（High Speed Physical Downlink Shared Channel）のＳＩＲを推定し、ＭＣＳ決定部が、推定したＳＩＲに基づいて、最大の送信ブロックサイズを決定し、決定した送信ブロックサイズに対応するＭＣＳを変調部に指示するという技術である。
特許文献３の技術は、通信端末毎の下り回線情報の報告値（ＣＱＩ情報）に基づいて変調方式或いは誤り訂正符号化方式の選択及び送信電力の決定を行なうことで、限られた拡散コード数及び送信電力などのリソースを考慮してＭＣＳ選択及び送信電力決定を行ない、スループットを向上させるという技術である。
【特許文献１】特開２００４−１６６１２３号公報
【特許文献２】特開２００４−１７３０１９号公報
【特許文献３】特開２００４−１７２９８１号公報
【発明の開示】
【発明が解決しようとする課題】
【００１９】
しかしながら、上述した従来の技術のように、ＣＱＩ情報又はＣＱＩ情報及び送信電力や拡散コードなどの無線リソースに基づいて送信パラメータ（変調方式、符号化率、送信ブロックサイズなど）を決定すると、決定した送信ブロックサイズ以上に、送信すべき多くのデータが、基地局などの無線送信装置内の送信バッファに蓄積されていた場合、それらのデータ全てを一括送信することができず、最悪の場合、破棄されてしまう。【００２０】
本発明は、このような課題に鑑み創案されたもので、無線送信装置における送信バッファに蓄積されている未送信のデータ量も考慮して、送信パラメータを決定することで、無線送信装置から無線端末へのダウンリンク（下り無線回線）のスループットの向上を図れるようにすることを目的とする。
【課題を解決するための手段】
【００２１】
上記の目的を達成するために、本発明では、下記の無線送信装置及び同装置における下り送信制御方法を用いることを特徴としている。即ち、
（１）本発明の無線送信装置は、無線端末へ下り無線回線を通じて送信すべき下り送信データを一時的に保持する送信バッファと、該下り無線回線についての該無線端末での受信品質を示す下り回線品質情報に基づいて、該下り無線回線の送信品質に関する下り送信パラメータを決定する送信パラメータ決定手段と、少なくとも該下り回線品質情報と該送信バッファにおける未送信の下り送信データ量に関する情報とに基づいて、該送信パラメータ決定手段で決定された送信パラメータを制御する送信パラメータ制御手段とをそなえたことを特徴としている。【００２２】
（２）ここで、該送信パラメータ制御手段は、該下り回線品質情報により提示される該下り無線回線の第１の送信品質よりも、該送信バッファにおける未送信の下り送信データを一括送信するのに必要な第２の送信品質の方が高いか否かを判定する判定部と、該判定部で上記第１の送信品質よりも上記第２の送信品質の方が高いと判定されると、該下り無線回線の送信品質が高くなる方向に該送信パラメータを調整する送信パラメータ調整部とをそなえるのが好ましい。【００２３】
（３）また、該送信パラメータ調整部は、該判定部にて、上記第１の送信品質が上記第２の送信品質と同じか上記第２の送信品質よりも高いと判定されると、該送信パラメータ決定手段で決定した該送信パラメータを維持又は該下り無線回線の送信品質が低くなる方向に調整すべく構成されてもよい。
（４）さらに、該送信パラメータ制御手段は、前記の下り回線品質情報及び該送信バッファにおける未送信の下り送信データ量に関する情報に加えて、該下り無線回線について保証すべき保証品質情報に基づいて、該送信パラメータ決定手段で決定された送信パラメータを制御すべく構成されてもよい。【００２４】
（５）この場合、該送信パラメータ制御手段は、該無線端末から報告される該下り送信データの正常又は異常受信を示す応答情報に基づいて下り送信データレートを算出するデータレート算出部と、該データレート算出部で算出された下り送信データレートと該保証品質情報としての所定の保証データレートとを比較する比較部と、該下り回線品質情報により提示される該下り無線回線の第１の送信品質よりも、該送信バッファにおける未送信の下り送信データを一括送信するのに必要な第２の送信品質の方が高いか否かを判定する判定部と、該比較部による比較の結果、該下り送信データレートよりも該保証データレートの方が高く、かつ、該判定部で上記第１の送信品質よりも上記第２の送信品質の方が高いと判定されると、該下り無線回線の送信品質が高くなる方向に該送信パラメータを調整する送信パラメータ調整部とをそなえるのが好ましい。【００２５】
（６）また、該送信パラメータ調整部は、該判定部にて、上記第１の送信品質が上記第２の送信品質と同じか上記第２の送信品質よりも高いと判定されると、該送信パラメータ決定手段で決定した該送信パラメータを維持又は該下り無線回線の送信品質が低くなる方向に調整すべく構成されてもよい。
（７）また、該送信パラメータは、該下り送信データの送信ブロックサイズであるのが好ましい。【００２６】
（８）もっとも、該送信パラメータは、該下り送信データの送信ブロックサイズと、該下り送信データについての変調方式、マルチコード数、サブキャリア数及び送信電力値のいずれか１以上とを含んでいてもよい。
（９）さらに、本発明の無線送信装置における下り送信制御方法は、無線端末へ下り無線回線を通じて送信すべき下り送信データを一時的に保持する送信バッファをそなえた無線送信装置において、該下り無線回線についての該無線端末での受信品質を示す下り回線品質情報に基づいて、該下り無線回線の送信品質に関する下り送信パラメータを決定し、少なくとも該下り回線品質情報と該送信バッファにおける未送信の下り送信データ量に関する情報とに基づいて、上記決定した送信パラメータを制御することを特徴としている。【００２７】
（１０）ここで、該下り回線品質情報により提示される該下り無線回線の第１の送信品質よりも、該送信バッファにおける未送信の下り送信データを一括送信するのに必要な第２の送信品質の方が高いか否かを判定し、上記第１の送信品質よりも上記第２の送信品質の方が高いと判定すると、該下り無線回線の送信品質が高くなる方向に該送信パラメータを調整してもよい。【００２８】
（１１）また、上記第１の送信品質が上記第２の送信品質と同じか上記第２の送信品質よりも高いと判定すると、前記決定した送信パラメータを維持又は該下り無線回線の送信品質が低くなる方向に調整してもよい。
（１２）さらに、前記の下り回線品質情報及び該送信バッファにおける未送信の下り送信データ量に関する情報に加えて、該下り無線回線について保証すべき保証品質情報に基づいて、前記決定し送信パラメータを制御してもよい。【００２９】
（１３）また、該無線端末から報告される該下り送信データの正常又は異常受信を示す応答情報に基づいて下り送信データレートを算出し、算出した下り送信データレートと該保証品質情報としての所定の保証データレートとを比較し、該下り回線品質情報により提示される該下り無線回線の第１の送信品質よりも、該送信バッファにおける未送信の下り送信データを一括送信するのに必要な第２の送信品質の方が高いか否かを判定し、上記比較の結果、該下り送信データレートよりも該保証データレートの方が高く、かつ、上記判定の結果、上記第１の送信品質よりも上記第２の送信品質の方が高いと、該下り回線の送信品質が高くなる方向に該送信パラメータを調整してもよい。【００３０】
（１４）また、上記第１の送信品質が上記第２の送信品質と同じか上記第２の送信品質よりも高いと判定すると、前記決定した送信パラメータを維持又は該下り無線回線の送信品質が低くなる方向に調整してもよい。
（１５）なお、該送信パラメータは、該下り送信データの送信ブロックサイズであるのが好ましい。【００３１】
（１６）もっとも、該送信パラメータは、該下り送信データの送信ブロックサイズと、該下り送信データについての変調方式、マルチコード数、サブキャリア数及び送信電力値のいずれか１以上とを含んでいてもよい。
【発明の効果】
【００３２】
上記本発明によれば、従来技術と比べて、無線送信装置において、送信バッファに蓄積されている未送信データ量も考慮して、下り無線回線についての送信ブロックサイズや、マルチコード数（又は、サブキャリア数）、変調方式等の、下り無線回線の送信品質に関する送信パラメータを制御（決定）するので、下り無線回線のスループットを大幅に向上させることができる。
【図面の簡単な説明】
【００３３】
【図１】本発明の第１実施形態としての無線通信システムの構成を示すブロック図である。
【図２】図１に示すネットワーク側装置のTxCQI決定部で用いる送信パラメータ決定テーブルの一例を示す図である。
【図３】図１に示す無線通信システムの動作（送信パラメータの決定）を説明するためのフローチャートである。
【図４】図１に示す無線通信システムにおいてバッファ占有率情報を考慮した場合と考慮しない場合の、あるユーザ（移動局）の受信ビット数を時間と共に示す図である。
【図５】本発明の第２実施形態としての無線通信システムの構成を示すブロック図である。
【図６】図５に示す無線通信システムの動作（送信パラメータの決定）を説明するためのフローチャートである。
【図７】従来の移動通信システムの構成を示すブロック図である。
【符号の説明】
【００３４】
１ネットワーク側装置（無線送信装置）
１−１  送信データ
１−２  データバッファ部（送信バッファ）
１−３  符号化（Coding）部
１−４  ＴＦＲＣ選択部
１−５  変調（Modulating）部
１−６  制御データ生成部
１−７  制御チャンネル送信部
１−８  データ送信部
１−９  送信電力制御部
１−１０  フィードバックデータ受信部
１−１１  送信ＣＱＩ情報（TxCQI）決定部
１−１１Ａ  判定部
１−１１Ｂ，１−１１Ｃ  送信パラメータ調整部
１−１２  比較部
１−１３  ビットレート算出部
１−１４  ＡＣＫ／ＮＡＣＫ検出部
１−１５  ＣＱＩ検出部
２  移動局（無線端末）
２−１  制御チャンネル（ＣＨ）受信部
２−２  ＳＩＲ測定部
２−３  SIR-CQI変換部
２−４  データチャンネル（ＣＨ）受信部
２−５  ＡＣＫ／ＮＡＣＫ判定部
２−６  フィードバックデータ生成部
２−７  フィードバックデータ送信部
３  送信パラメータ決定テーブル
【発明を実施するための最良の形態】
【００３５】
以下、図面を参照して本発明の実施の形態を説明する。
〔Ａ〕第１実施形態の説明
図１は本発明の第１実施形態としての無線通信システムの構成を示すブロック図で、この図１に示す移動通信システムも、基地局制御装置（ＲＮＣ）及び基地局（ＢＴＳ）としての機能を具備するネットワーク側装置（無線送信装置）１と、このネットワーク側装置１と無線によりアクセスして通信し得る１台以上の携帯電話等の移動局（無線端末）２とをそなえて構成され、ネットワーク側装置１は、移動局２での下り無線回線（ダウンリンク）についての受信環境（受信品質）に応じて移動局２へのダウンリンクの送信データの送信ブロックサイズや拡散コード数（マルチコード数）、変調方式等の、ダウンリンクの送信品質に関する送信パラメータを適応的に変更することができる機能を有するものである。【００３６】
そのために、本例においても、ネットワーク側装置１は、データバッファ部１−２，符号化（Cording）部１−３，ＴＦＲＣ選択部１−４，変調（Modulating）部１−５，制御データ生成部１−６，制御チャンネル送信部１−７，データ送信部１−８，送信電力制御部１−９，フィードバックデータ受信部１−１０，送信ＣＱＩ情報（TxCQI）決定部１−１１，ＡＣＫ／ＮＡＣＫ検出部１−１４及び受信ＣＱＩ情報（RxCQI）検出部１−１５をそなえて構成される。【００３７】
一方、移動局２は、ダウンリンクについての受信品質を測定してその測定結果をネットワーク側装置１へ通知する機能を有し、そのために、本例においても、例えば、制御チャンネル（ＣＨ）受信部２−１，ＳＩＲ測定部２−２，SIR-CQI変換部２−３，データチャンネル（ＣＨ）受信部２−４，ＡＣＫ／ＮＡＣＫ判定部２−５，フィードバックデータ生成部２−６及びフィードバックデータ送信部２−７をそなえて構成される。【００３８】
ここで、ネットワーク側装置１において、データバッファ部（送信バッファ）１−２は、移動局２へ下り無線回線（ダウンリンク）を通じて送信すべき送信データ１−１を一時的に保持するものであり、符号化部１−３は、データバッファ部１−２からの送信データ１−１をＴＦＲＣ選択部１−４で選択（決定）された送信ブロックサイズ（TBS）、マルチコード数等に従って符号化するものである。【００３９】
ＴＦＲＣ選択部（送信パラメータ決定手段）１−４は、ダウリンクについての移動局２での受信品質を示す下り回線品質情報である受信ＣＱＩ情報に基づいて、ダウンリンクの送信品質に関する送信パラメータ〔送信ブロックサイズ（TBS）、サブキャリア数、マルチコード数、変調方式、送信電力値等〕を選択（決定）するものである。
変調部１−５は、ＴＦＲＣ選択部１−４で選択（決定）されたサブキャリア数やマルチコード数、変調方式等の送信パラメータに従って送信データ１−１を変調するものである。【００４０】
制御データ生成部１−６は、ダウンリンクの制御チャンネルを通じて移動局２へ送信すべき制御データを生成するもので、例えば、移動局２でのＳＩＲ測定のための制御データ等を生成できるようになっている。制御チャンネル送信部１−７は、制御データ生成部１−６で生成された制御データをダウンリンクの制御チャンネルデータとして送信するものである。【００４１】
データ送信部１−８は、変調部１−５で変調された送信データ１−１をダウンリンクのデータチャンネルにより送信するもので、その送信電力は送信電力制御部１−９によって制御されるようになっている。送信電力制御部１−９は、ＴＦＲＣ選択部１−４で選択されたサブキャリア、送信ブロックサイズ、マルチコード数、変調方式に応じた送信電力についてのオフセット値に従ってデータ送信部１−８からのダウンリンクの送信電力を制御するものである。【００４２】
フィードバックデータ受信部１−１０は、移動局２から上り無線回線（アップリンク）のフィードバックデータチャンネルにより送信されてくるフィードバックデータ（上り通信データ）を受信するものであり、ＡＣＫ／ＮＡＣＫ検出部１−１４は、フィードバックデータ受信部１−１０で受信されたフィードバックデータから、送信データ１−１についての正常受信を表すＡＣＫ又は異常受信を表すＮＡＣＫを検出するもので、ＮＡＣＫが検出された場合には、例えば、符号化部１−３にその旨が通知されて、既に送信された送信データ１−１の再送が実施されるようになっている。【００４３】
ＣＱＩ検出部１−１５は、フィードバックデータ受信部１−１０で受信されたフィードバックデータから、移動局２での受信品質情報である受信ＣＱＩ情報（RxCQI）を検出するものである。
TxCQI決定部（送信パラメータ制御手段）１−１１は、ＣＱＩ検出部１−１５で検出された受信ＣＱＩ情報（RxCQI）とデータバッファ部１−２のバッファ占有率情報（つまり、ダウンリンクの未送信データの蓄積量に関する情報）とに基づいて、前記ＴＦＲＣ選択部１−４で選択すべき送信パラメータの選択基準となる送信ＣＱＩ情報（TxCQI）を決定する（つまり、ＴＦＲＣ選択部１−４で決定した送信パラメータを制御する）もので、ここで決定した送信ＣＱＩ情報に基づいてＴＦＲＣ選択部１−４においてサブキャリア数、送信ブロックサイズ、マルチコード数、変調方式等のダウンリンクの送信パラメータが選択（制御）されるようになっている。【００４４】
例えば、データバッファ部１−２におけるダウンリンクの未送信データ量（ビット数）が、移動局２からのＣＱＩ情報を基に定まる送信ブロックサイズ（ビット数）以上であった場合、マルチコード数（サブキャリア数）、送信電力値、送信ブロックサイズを増加させて、未送信データを一度にまとめて送信可能とし、逆に、未送信データ量が、移動局２からのＣＱＩ情報を基に定まる送信ブロックサイズ未満であった場合、マルチコード数（サブキャリア数）、送信電力値、送信ブロックサイズを維持して、あるいは、減少させて送信するように制御（送信パラメータの決定）を行なう。【００４５】
つまり、TxCQI決定部１−１１は、受信ＣＱＩ情報により提示されるダウンリンクの第１の送信品質よりも、送信バッファ１−２における未送信の下り送信データを一括送信するのに必要な第２の送信品質の方が高いか否かを判定し、上記第１の送信品質よりも上記第２の送信品質の方が高いと判定すると、ダウンリンクの送信品質が高くなる方向に送信パラメータを調整し、上記第１の送信品質が上記第２の送信品質と同じか上記第２の送信品質よりも高いと判定すると、ＴＦＲＣ選択部１−４で選択された送信パラメータを維持又はダウンリンクの送信品質が低くなる方向に調整するのである。【００４６】
そのため、本実施形態のTxCQI決定部１−１１は、例えば図２に示すように、移動局２のダウンリンクについての受信品質情報〔例えば、ブロックエラーレート（BLER）＝１０％となる値〕を、ＣＱＩという値で数値化し、それに見合った送信ブロックサイズ（TBS）とマルチコード数（サブキャリア数）と変調方式とを対応付けたテーブル形式のデータ（以下、送信パラメータ決定テーブル３と表記する）をメモリ等に保持しており、ＣＱＩ値をキーとして当該テーブル３を参照することにより、送信ブロックサイズ（TBS）、マルチコード数及び変調方式の送信パラメータを一意に決定できるようになっている。ＣＱＩ値は、１増加すると送信電力を１ｄＢ増加させるというように、送信電力とも関係している。【００４７】
よって、例えば、上記送信パラメータ決定テーブル３において、ＣＱＩ値＝１０をみると、送信ブロックサイズ＝１２６２ビット，変調方式＝ＱＰＳＫ，マルチコード数＝３本となっているので、この送信パラメータで、所望の送信電力値（予め、システムを構築する上で既知の値）で送信すると、BLER＝１０％のエラーレートとして送信できる目安となる。【００４８】
そして、本実施形態では、従来技術に比して、送信バッファ１−２からTxCQI決定部１−１１へ、バッファ占有率情報が提供され、TxCQI決定部１−１１において、当該バッファ占有率情報も考慮して、送信電力値、送信ブロックサイズ、変調方式、マルチコード数、または、サブキャリア数等の送信パラメータを決定する点が異なっている。
具体的な決定方法は、例えば次のようにする。即ち、ＣＱＩ値＝１３という情報（RxCQI）が移動局２から送られてきたとすると、このＣＱＩ値＝１３は、上記送信パラメータ決定テーブル３を参照すると、送信ブロックサイズ＝２２７９ビット，変調方式＝ＱＰＳＫ，マルチコード数＝４本となっている。この時、送信バッファ１−２内に、例えば、３３１９ビットのデータが、未送信で残っていたとする。そこで、TxCQI決定部１−１１は、３３１９ビットを一括送信するために、例えば、マルチコード数＝５本のＣＱＩ値＝１５にして、送信電力を２ｄＢアップすると、やはり、BLER＝10%のデータとして送信することができる。よって、TxCQI決定部１−１１は、TxCQIとしてＣＱＩ値＝１５を選択（決定）し、これをＴＦＲＣ選択部１−４に指示することになる。【００４９】
次に、図１に示す移動局２において、制御チャンネル受信部２−１は、ネットワーク側装置１からアップリンクの制御チャンネルにより送信されてくる制御データを受信するものであり、ＳＩＲ測定部２−２は、この制御チャンネル受信部２−１で受信された制御データに基づいて受信ＳＩＲを測定するものであり、SIR-CQI変換部２−３は、このＳＩＲ測定部２−２で測定された受信ＳＩＲを受信ＣＱＩ情報に変換するものである。【００５０】
データチャンネル受信部２−４は、ネットワーク側装置１からアップリンクのデータチャンネルにより送信されてくる送信データ１−１を受信するものであり、ＡＣＫ／ＮＡＣＫ判定部２−５は、データチャンネル受信部２−４において送信データ１−１が正常に受信された否かを判定するもので、正常に受信できていればネットワーク側装置１への応答としてＡＣＫ、正常に受信できていなければＮＡＣＫと判定するようになっている。【００５１】
フィードバックデータ生成部２−６は、ネットワーク側装置１へ送信すべきダウンリンクのフィードバックデータを生成するもので、例えば、上記SIR-CQI変換部２−３により得られたＣＱＩ情報や上記ＡＣＫ／ＮＡＣＫ判定部２−５での判定結果（ＡＣＫ／ＮＡＣＫ）をフィードバックデータとして生成しうるようになっている。フィードバックデータ送信部２−７は、フィードバックデータ生成部２−６で生成されたフィードバックデータをダウンリンクのフィードバックデータチャンネルによりネットワーク側装置１へ送信するものである。【００５２】
以下、上述のごとく構成された従来の移動通信システムの動作について説明すると、ネットワーク側装置１は、制御データ生成部１−６及び制御チャンネル送信部１−７により制御チャンネルを通じて制御データを移動局２向けに送信するとともに、符号化部１−３及び変調部１−５によって符号化及び変調を施された送信データ１−１をデータ送信部１−８によりダウンリンクのデータチャンネルを通じて移動局２向けに送信する。【００５３】
移動局２は、ダウンリンクの制御チャンネルを通じて制御チャンネル受信部２−１にて受信された上記制御データを基にＳＩＲ測定部２−２により受信ＳＩＲを測定し、その測定値をSIR-CQI変換部２−３によって受信ＣＱＩ情報に変換する。この受信ＣＱＩ情報は、フィードバックデータ生成部２−６及びフィードバックデータ送信部２−７によってネットワーク側装置１へのフィードバックデータとしてアップリンクのフィードバックデータチャンネルを通じてネットワーク側装置１へ送信される。【００５４】
また、移動局２は、ダウンリンクのデータチャンネルを通じてデータチャンネル受信部２−４にて受信されたデータ１−１についてＡＣＫ／ＮＡＣＫ判定部２−５によりＡＣＫ／ＮＡＣＫ判定を行ない、その結果（ＡＣＫ／ＮＡＣＫ）をフィードバックデータ生成部２−６及びフィードバックデータ送信部２−７によってアップリンクのフィードバックデータチャンネルを通じてネットワーク側装置１へ送信する。【００５５】
一方、ネットワーク側装置１では、上述のごとくアップリンクのフィードバックデータチャンネルを通じて移動局２から送信（報告）されてくる受信ＣＱＩ情報（RxCQI）がＣＱＩ検出部１−５にて検出され、当該受信ＣＱＩ情報とその時の送信バッファ１−２についてのバッファ占有率情報とに基づいてTxCQI決定部１−１１にて送信ＣＱＩ情報（TxCQI）が決定され、決定した送信ＣＱＩ情報に応じてＴＦＲＣ選択部１−４にて送信データ１−１についての送信ブロックサイズ、マルチコード数（サブキャリア数）、変調方式等が適応的に選択（変更）される。【００５６】
その具体的な決定動作について、図３に示すフローチャートを参照しながら説明すると、まず、TxCQI決定部１−１１は、受信ＣＱＩ情報（RxCQI）を基に図２に示す送信パラメータ決定テーブル３を参照して、変調方式、マルチコード数（サブキャリア数）、送信ブロックサイズ（TBSrxcqi）等のダウンリンクの送信パラメータを仮決定する（ステップＳ１）。そして、TxCQI決定部１−１１は、送信バッファ１−２についてのバッファ占有率情報から現時点で送信バッファ１−２に蓄積されている未送信データのブロックサイズ（TBStxbuf）を計算し、当該ブロックサイズと仮決定した送信ブロックサイズ（TBSrxcqi）とを比較して、未送信データのブロックサイズ（TBStxbuf）が仮決定した送信ブロックサイズ（TBSrxcqi）を超えているか否かを判定する（ステップＳ２）。【００５７】
その結果、未送信データのブロックサイズ（TBStxbuf）が仮決定した送信ブロックサイズ（TBSrxcqi）を超えていれば（つまり、TBStxbuf＞TBSrxcqi）、TxCQI決定部１−１１は、受信ＣＱＩ情報（RxCQI）にオフセット値ａを加えて送信ＣＱＩ情報（TxCQI）とする（TxCQI＝RxCQI＋ａ；ステップＳ２のＹルートからステップＳ４）。
つまり、TxCQI決定部１−１１は、上記ステップＳ２及びＳ４を実行することにより、受信ＣＱＩ情報により提示されるダウンリンクの第１の送信品質である送信ブロックサイズよりも、送信バッファ１−２における未送信の送信データ１−１を一括送信するのに必要な第２の送信品質である送信ブロックサイズの方が高いか否かを判定する判定部１−１１Ａとしての機能と、この判定部１−１１Ａで上記第１の送信品質よりも上記第２の送信品質の方が高いと判定されると、ダウンリンクの送信品質が高くなる方向に送信パラメータ（送信ブロックサイズ）を調整する送信パラメータ調整部１−１１Ｂとしての機能を果たすのである。【００５８】
ここで、上記オフセット値ａは、例えば、未送信データのブロックサイズ（TBStxbuf）を基に図２に示す送信パラメータ決定テーブル３を参照して、一括送信可能なＣＱＩ値を求め、受信ＣＱＩ情報（RxCQI）との差分をとることにより求められる。図２により前述した例でいえば、オフセット値ａ＝１５−１３＝２となり、送信ＣＱＩ情報（TxCQI）＝１３（RxCQI）＋２＝１５となる。なお、オフセット値ａは、収束度合いに応じて変更（調整）可能である。【００５９】
一方、上記ブロックサイズの比較の結果、未送信データのブロックサイズ（TBStxbuf）が仮決定した送信ブロックサイズ（TBSrxcqi）未満であった場合（つまり、TBStxbuf＜TBSrxcqi）、TxCQI決定部１−１１は、受信ＣＱＩ情報（RxCQI）からオフセット値ａを減算して送信ＣＱＩ情報（TxCQI）とする（TxCQI＝RxCQI−ａ；ステップＳ２のＮルートからステップＳ３及びステップＳ３のＹルートからステップＳ５）。【００６０】
また、上記ブロックサイズの比較の結果、未送信データのブロックサイズ（TBStxbuf）と仮決定した送信ブロックサイズ（TBSrxcqi）とが一致した場合（つまり、TBStxbuf＝TBSrxcqi）、TxCQI決定部１−１１は、受信ＣＱＩ情報をそのまま送信ＣＱＩ情報とする（TxCQI＝RxCQI；ステップＳ２及びＳ３のＮルートからステップＳ６）。
つまり、TxCQI決定部１−１１（送信パラメータ調整部１−１１Ｂ）は、上記のステップＳ３，Ｓ５及びＳ６を実行することにより、前記判定部１−１１Ａにて、上記第１の送信品質である送信ブロックサイズが上記第２の送信品質である送信ブロックサイズと同じか上記第２の送信品質である送信ブロックサイズよりも高いと判定されると、ＴＦＲＣ選択部１−４で選択した送信パラメータ（送信ブロックサイズ）を維持又はダウンリンクの送信品質が低くなる方向に調整するのである。【００６１】
次いで、TxCQI決定部１−１１は、上述のごとく決定した送信ＣＱＩ情報を用いて送信を行なった場合の総送信電力値（PowerTotal）が規定の最大送信電力値（PowerMax）以下になるか否かをチェックし（ステップＳ７）、規定の最大送信電力値（PowerMax）を超えることになる場合には、受信ＣＱＩ情報（TxCQI）からオフセット値b1（ただし、ａ＞b1＞０）を減算して送信ＣＱＩ情報とし（TxCQI＝RxCQI−b1）、再度、総送信電力値（PowerTotal）のチェックを行なう（ステップＳ７のＮルートからステップＳ８）。なお、かかる送信電力値のチェック処理は、総送信電力値（PowerTotal）が最大送信電力値（PowerMax）以下になるまで繰り返される。【００６２】
総送信電力値（PowerTotal）が規定の最大送信電力値（PowerMax）以下であれば、TxCQI決定部１−１１は、次に、決定した送信ＣＱＩ情報を用いた場合に総マルチコード数（CodeTotal）が規定の最大値（CodeMax）以下になるか否かをチェックし（ステップＳ７のＹルートからステップＳ９）、最大値（CodeMax）を超えることになる場合には、受信ＣＱＩ情報（TxCQI）からオフセット値b2（ただし、ａ＞b2＞０）を減算して送信ＣＱＩ情報とし（TxCQI＝RxCQI−b2）、再度、総マルチコード数（CodeTotal）のチェックを行なう（ステップＳ９のＮルートからステップＳ１０）。なお、かかるコード数チェック処理は、マルチコード数（CodeTotal）が最大値（CodeMax）以下になるまで繰り返される。【００６３】
そして、マルチコード数（CodeTotal）が最大値（CodeMax）以下であれば、TxCQI決定部１−１１は、最終的に得られた送信ＣＱＩ情報（TxCQI）を基に図２に示す送信パラメータ決定テーブル３を参照して、変調方式、マルチコード数（サブキャリア数）及び送信ブロックサイズ等の送信パラメータを最終決定し、ＴＦＲＣ選択部１−４へ通知する（ステップＳ９のＹルートからステップＳ１１）。これにより、最終決定した送信パラメータでの送信データ１−１の送信が行なわれることになる。【００６４】
その後、TxCQI決定部１−１１は、すべてのユーザ（移動局２）について上記送信パラメータの決定処理が完了したか否かをチェックし（ステップＳ１２）、完了していなければ、完了するまで（ステップＳ１２でＹとなるまで）、上記ステップＳ１以降の処理を繰り返す（ステップＳ１２のＮルート）。
なお、本例においても、フィードバックデータチャンネルを通じて移動局２００から送信されてくるＡＣＫ又はＮＡＣＫがＡＣＫ／ＮＡＣＫ検出部１１４にて検出され、ＡＣＫが検出されれば次の送信データ１０１がデータバッファ部１０２から取り出されて符号化・変調されて送信され、ＮＡＣＫが検出されれば送信データ１０１の再送が行なわれる。【００６５】
以上のようにして、移動局２から報告される受信ＣＱＩ情報とバッファ占有率情報とに基づいて送信パラメータが適応的に更新されることにより、送信バッファ１−２のダウンリンクの未送信データを総送信電力値やマルチコード数の許容範囲で可能な限り一括送信することが可能となるので、ダウンリンクのスループットが大幅に向上する。
例えば図４に、バッファ占有率情報を考慮した場合と考慮しない場合の、あるユーザ（移動局２）の受信ビット数を時間と共に示す。なお、符号４が本実施形態のようにバッファ占有率情報を考慮に入れた場合の受信特性を示し、符号５がバッファ占有率情報を考慮に入れない場合の受信特性を示している。この図４から分かるように、送信バッファ１−２でのバッファ占有率情報を考慮に入れた方が、スループットが向上している。これは、特に伝搬環境の悪いユーザ（移動局２）に対して、より大きな送信電力とより多くのコードを割り当て、送信ブロックサイズを大きくすることができ、スループットが向上したことによる。【００６６】
〔Ｂ〕第２実施形態の説明
図５は本発明の第２実施形態としての無線通信システムの構成を示すブロック図で、この図５に示す移動通信システムも、上述した第１実施形態と同様に、基地局制御装置（ＲＮＣ）及び基地局（ＢＴＳ）としての機能を具備するネットワーク側装置（無線送信装置）１と、このネットワーク側装置１と無線によりアクセスして通信し得る１台以上の携帯電話等の移動局（無線端末）２とをそなえて構成され、図１に示す構成に比して、ネットワーク側装置１に、ビットレート算出部１−１３，比較部１−１２が付加されている点が異なる。なお、他の既述の符号と同一符号を付した部分は、特に断らない限り、既述のものと同一若しくは同様のものである。【００６７】
ここで、上記のビットレート算出部（データレート算出部）１−１３は、ＡＣＫ／ＮＡＣＫ検出部１−１４での検出結果、即ち、移動局２から報告されるダウンリンクの正常又は異常受信を示す応答情報に基づいてダウンリンクのビットレートを算出するもので、例えば、ある時間ｔに送信ブロックサイズ〔TBS(t)〕で送信した送信データ１−１についてのＡＣＫの検出数を基に移動局２へのダウンリンクのビットレートを算出することができるようになっている。【００６８】
比較部１−１２は、このビットレート算出部１−１３で算出されたビットレートと、帯域保証サービス等におけるダウンリンクについて保証すべき保証品質情報である保証ビットレート（上位レイヤから設定される）とを比較するもので、本例では、その比較結果がTxCQI決定部１−１１に提供されて、TxCQI決定部１−１１において送信パラメータ決定の際に用いられるようになっている。【００６９】
つまり、本例のTxCQI決定部１−１１は、前記の受信ＣＱＩ情報及びバッファ占有率情報に加えて、保証ビットレートをも考慮に入れて（基づいて）送信パラメータの決定を行なうようになっているのである。
以下、その決定動作について、図６を参照しながら詳述すると、まず、ネットワーク側装置１は、TxCQI決定部１−１１によって、受信ＣＱＩ情報（RxCQI）を基に図２に示す送信パラメータ決定テーブル３を参照して、変調方式、マルチコード数（サブキャリア数）、送信ブロックサイズ（TBSrxcqi）を仮決定する（ステップＳ２１）。また、ビットレート算出部１−１３が、ＡＣＫ／ＮＡＣＫ検出部１−１４での検出結果を監視して（ステップＳ２２）、ＡＣＫが検出される毎にその時の送信ブロックサイズ〔TBS(t)〕を累積加算し送信データ量（ｘ）を計数し〔ｘ＝TBS(t)*1＝TBS(t)；ステップＳ２２のＹルートからステップＳ２３〕、ＮＡＣＫが検出された場合には送信データ量ｘを“０”として〔ｘ＝TBS(t)*0＝0；ステップＳ２２のＮルートからステップＳ２４〕、単位時間あたりの送信データ量（ｘ）、即ち、ダウンリンクのビットレート（Ｘ）を算出する（Ｘ＝ｘ／ｔ；ステップＳ２５）。【００７０】
次いで、比較部１−１２が、上記算出したビットレート（Ｘ）と保証ビットレート（Ｚ）とを比較し、その比較結果がTxCQI決定部１−１１に提供される。TxCQI決定部１−１１は、算出ビットレート（Ｘ）よりも保証ビットレート（Ｚ）の方が大きいか否かをチェックし（ステップＳ２６）、保証ビットレートの方が大きければ、第１実施形態と同様に、送信バッファ１−２についてのバッファ占有率情報から現時点で送信バッファ１−２に蓄積されている未送信データのブロックサイズ（TBStxbuf）を計算し、当該ブロックサイズと仮決定した送信ブロックサイズ（TBSrxcqi）とを比較して、未送信データのブロックサイズ（TBStxbuf）が仮決定した送信ブロックサイズ（TBSrxcqi）を超えているか否かを判定する（ステップＳ２６のＹルートからステップＳ２７）。【００７１】
その結果、未送信データのブロックサイズ（TBStxbuf）が仮決定した送信ブロックサイズ（TBSrxcqi）を超えていれば（つまり、TBStxbuf＞TBSrxcqi）、TxCQI決定部１−１１は、受信ＣＱＩ情報（RxCQI）にオフセット値ａを加えて送信ＣＱＩ情報（TxCQI）とする（TxCQI＝RxCQI＋ａ；ステップＳ２７のＹルートからステップＳ２９）。なお、本例においても、上記オフセット値ａは、例えば、未送信データのブロックサイズ（TBStxbuf）を基に図２に示す送信パラメータ決定テーブル３を参照して、一括送信可能なＣＱＩ値を求め、受信ＣＱＩ情報（RxCQI）との差分をとることにより求められる。また、このオフセット値ａは、収束度合いに応じて変更（調整）可能である。【００７２】
つまり、本例のTxCQI決定部１−１１は、上記のステップＳ２６，Ｓ２７及びＳ２９を実行することにより、受信ＣＱＩ情報により提示されるダウンリンクの第１の送信品質である送信ブロックサイズよりも、送信バッファ１−２における未送信の送信データ１−１を一括送信するのに必要な第２の送信品質である送信ブロックサイズの方が高いか否かを判定する判定部１−１１Ａとしての機能と、比較部１−１２による比較の結果、ダウンリンクのビットレートよりも保証ビットレートの方が高く、かつ、上記第１の送信品質である送信ブロックサイズよりも、上記第２の送信品質である送信ブロックサイズの方が高いと判定されると、ダウンリンクの送信品質が高くなる方向に送信パラメータを調整する送信パラメータ調整部１−１１Ｃとしての機能を有しているのである。【００７３】
一方、上記ブロックサイズの比較の結果、未送信データのブロックサイズ（TBStxbuf）が仮決定した送信ブロックサイズ（TBSrxcqi）未満であった場合（つまり、TBStxbuf＜TBSrxcqi）、TxCQI決定部１−１１は、受信ＣＱＩ情報（RxCQI）からオフセット値ａを減算して送信ＣＱＩ情報（TxCQI）とする（TxCQI＝RxCQI−ａ；ステップＳ２７のＮルートからステップＳ２８及びステップＳ２８のＹルートからステップＳ３０）。【００７４】
また、上記ブロックサイズの比較の結果、未送信データのブロックサイズ（TBStxbuf）と仮決定した送信ブロックサイズ（TBSrxcqi）とが一致した場合（つまり、TBStxbuf＝TBSrxcqi）、TxCQI決定部１−１１は、受信ＣＱＩ情報をそのまま送信ＣＱＩ情報とする（TxCQI＝RxCQI；ステップＳ２７及びＳ２８のＮルートからステップＳ３１）。
つまり、本例においても、TxCQI決定部１−１１（送信パラメータ調整部１−１１Ｃ）は、上記のステップＳ２８，Ｓ３０及びＳ３１を実行することにより、前記判定部１−１１Ａにて、上記第１の送信品質である送信ブロックサイズが上記第２の送信品質である送信ブロックサイズと同じか上記第２の送信品質である送信ブロックサイズよりも高いと判定されると、ＴＦＲＣ選択部１−４で選択した送信パラメータ（送信ブロックサイズ）を維持又はダウンリンクの送信品質が低くなる方向に調整するのである。【００７５】
次いで、TxCQI決定部１−１１は、本例においても、上述のごとく決定した送信ＣＱＩ情報を用いて送信を行なった場合の総送信電力値（PowerTotal）が規定の最大送信電力値（PowerMax）以下になるか否かをチェックし（ステップＳ３２）、規定の最大送信電力値（PowerMax）を超えることになる場合には、受信ＣＱＩ情報（TxCQI）からオフセット値b1（ただし、ａ＞b1＞０）を減算して送信ＣＱＩ情報とし（TxCQI＝RxCQI−b1）、再度、総送信電力値（PowerTotal）のチェックを行なう（ステップＳ３２のＮルートからステップＳ３３）。なお、かかる送信電力値のチェック処理は、総送信電力値（PowerTotal）が最大送信電力値（PowerMax）以下になるまで繰り返される。【００７６】
総送信電力値（PowerTotal）が規定の最大送信電力値（PowerMax）以下であれば、TxCQI決定部１−１１は、次に、決定した送信ＣＱＩ情報を用いた場合に総マルチコード数（CodeTotal）が規定の最大値（CodeMax）以下になるか否かをチェックし（ステップＳ３２のＹルートからステップＳ３４）、最大値（CodeMax）を超えることになる場合には、受信ＣＱＩ情報（TxCQI）からオフセット値b2（ただし、ａ＞b2＞０）を減算して送信ＣＱＩ情報とし（TxCQI＝RxCQI−b2）、再度、総マルチコード数（CodeTotal）のチェックを行なう（ステップＳ３４のＮルートからステップＳ３５）。なお、かかるコード数チェック処理は、マルチコード数（CodeTotal）が最大値（CodeMax）以下になるまで繰り返される。【００７７】
そして、マルチコード数（CodeTotal）が最大値（CodeMax）以下であれば、TxCQI決定部１−１１は、最終的に得られた送信ＣＱＩ情報（TxCQI）を基に図２に示す送信パラメータ決定テーブル３を参照して、変調方式、マルチコード数（サブキャリア数）及び送信ブロックサイズ等の送信パラメータを最終決定し、ＴＦＲＣ選択部１−４へ通知する（ステップＳ３４のＹルートからステップＳ３６）。これにより、最終決定した送信パラメータでの送信データ１−１の送信が行なわれることになる。【００７８】
その後、TxCQI決定部１−１１は、すべてのユーザ（移動局２）について上記送信パラメータの決定処理が完了したか否かをチェックし（ステップＳ３７）、完了していなければ、完了するまで（ステップＳ３７でＹとなるまで）、上記ステップＳ２１以降の処理を繰り返す（ステップＳ３７のＮルート）。
なお、上記のステップＳ２６において、算出ビットレート（Ｘ）が保証ビットレート（Ｚ）以上の場合は、帯域保証がなされているので、上述した送信パラメータの決定（更新）は行なわずに、他のユーザ（移動局２）に対する上記送信パラメータ決定処理が実行される（ステップＳ２６のＮルート）。【００７９】
以上のように、本実施形態によれば、移動局２でのダウンリンクの送信データ１−１の正常又は異常受信を示す応答情報であるＡＣＫ／ＮＡＣＫ情報を基に移動局２へのダウンリンクのビットレートを算出し、それを保証ビットレートと比較し、その結果を、送信パラメータ決定に反映させるので、帯域保証サービスにおける保証ビットレートを保証しながら、送信バッファ１−２におけるダウンリンクの未送信データを総送信電力値やマルチコード数の許容範囲で可能な限り一括送信することができ、帯域保証を行ないつつダウンリンクのスループットを大幅に向上することが可能である。【００８０】
なお、本発明は、上述した実施形態に限定されず、本発明の趣旨を逸脱しない範囲で種々変形して実施できることはいうまでもない。
【産業上の利用可能性】
【００８１】
以上のように、本発明によれば、無線端末での受信品質情報のみならず送信バッファにおける下り送信データ量に関する情報に基づいて、下り無線回線についての送信パラメータを制御するので、下り無線回線のスループットを大幅に向上することができ、無線通信技術分野に極めて有用である。
【図１】
2007013159.tif 000002
【図２】
2007013159.tif 000003
【図３】
2007013159.tif 000004
【図４】
2007013159.tif 000005
【図５】
2007013159.tif 000006
【図６】
2007013159.tif 000007
【図７】
2007013159.tif 000008
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
無線端末へ下り無線回線を通じて送信すべき下り送信データを一時的に保持する送信バッファと、
該下り無線回線についての該無線端末での受信品質を示す下り回線品質情報に基づいて、該下り無線回線の送信品質に関する下り送信パラメータを決定する送信パラメータ決定手段と、
少なくとも該下り回線品質情報と該送信バッファにおける未送信の下り送信データ量に関する情報とに基づいて、該送信パラメータ決定手段で決定された送信パラメータを制御する送信パラメータ制御手段とをそなえたことを特徴とする、無線送信装置。
【請求項２】
該送信パラメータ制御手段が、
該下り回線品質情報により提示される該下り無線回線の第１の送信品質よりも、該送信バッファにおける未送信の下り送信データを一括送信するのに必要な第２の送信品質の方が高いか否かを判定する判定部と、
該判定部で上記第１の送信品質よりも上記第２の送信品質の方が高いと判定されると、該下り無線回線の送信品質が高くなる方向に該送信パラメータを調整する送信パラメータ調整部とをそなえたことを特徴とする、請求項１記載の無線送信装置。
【請求項３】
該送信パラメータ制御手段が、
前記の下り回線品質情報及び該送信バッファにおける未送信の下り送信データ量に関する情報に加えて、該下り無線回線について保証すべき保証品質情報に基づいて、該送信パラメータ決定手段で決定された送信パラメータを制御すべく構成されたことを特徴とする、請求項１記載の無線送信装置。
【請求項４】
該送信パラメータ制御手段が、
該無線端末から報告される該下り送信データの正常又は異常受信を示す応答情報に基づいて下り送信データレートを算出するデータレート算出部と、
該データレート算出部で算出された下り送信データレートと該保証品質情報としての所定の保証データレートとを比較する比較部と、
該下り回線品質情報により提示される該下り無線回線の第１の送信品質よりも、該送信バッファにおける未送信の下り送信データを一括送信するのに必要な第２の送信品質の方が高いか否かを判定する判定部と、
該比較部による比較の結果、該下り送信データレートよりも該保証データレートの方が高く、かつ、該判定部で上記第１の送信品質よりも上記第２の送信品質の方が高いと判定されると、該下り無線回線の送信品質が高くなる方向に該送信パラメータを調整する送信パラメータ調整部とをそなえたことを特徴とする、請求項３記載の無線送信装置。
【請求項５】
無線端末へ下り無線回線を通じて送信すべき下り送信データを一時的に保持する送信バッファをそなえた無線送信装置において、
該下り無線回線についての該無線端末での受信品質を示す下り回線品質情報に基づいて、該下り無線回線の送信品質に関する下り送信パラメータを決定し、
少なくとも該下り回線品質情報と該送信バッファにおける未送信の下り送信データ量に関する情報とに基づいて、上記決定した送信パラメータを制御することを特徴とする、無線送信装置における下り送信制御方法。
【手続補正２】
【補正対象書類名】明細書
【補正対象項目名】００８０
【補正方法】変更
【補正の内容】
【００８０】
なお、本発明は、上述した実施形態に限定されず、本発明の趣旨を逸脱しない範囲で種々変形して実施できることはいうまでもない。
〔Ｃ〕付記
（付記１）
無線端末へ下り無線回線を通じて送信すべき下り送信データを一時的に保持する送信バッファと、
該下り無線回線についての該無線端末での受信品質を示す下り回線品質情報に基づいて、該下り無線回線の送信品質に関する下り送信パラメータを決定する送信パラメータ決定手段と、
少なくとも該下り回線品質情報と該送信バッファにおける未送信の下り送信データ量に関する情報とに基づいて、該送信パラメータ決定手段で決定された送信パラメータを制御する送信パラメータ制御手段とをそなえたことを特徴とする、無線送信装置。
（付記２）
該送信パラメータ制御手段が、
該下り回線品質情報により提示される該下り無線回線の第１の送信品質よりも、該送信バッファにおける未送信の下り送信データを一括送信するのに必要な第２の送信品質の方が高いか否かを判定する判定部と、
該判定部で上記第１の送信品質よりも上記第２の送信品質の方が高いと判定されると、該下り無線回線の送信品質が高くなる方向に該送信パラメータを調整する送信パラメータ調整部とをそなえたことを特徴とする、付記１記載の無線送信装置。
（付記３）
該送信パラメータ調整部が、
該判定部にて、上記第１の送信品質が上記第２の送信品質と同じか上記第２の送信品質よりも高いと判定されると、該送信パラメータ決定手段で決定した該送信パラメータを維持又は該下り無線回線の送信品質が低くなる方向に調整すべく構成されたことを特徴とする、付記２記載の無線送信装置。
（付記４）
該送信パラメータ制御手段が、
前記の下り回線品質情報及び該送信バッファにおける未送信の下り送信データ量に関する情報に加えて、該下り無線回線について保証すべき保証品質情報に基づいて、該送信パラメータ決定手段で決定された送信パラメータを制御すべく構成されたことを特徴とする、付記１記載の無線送信装置。
（付記５）
該送信パラメータ制御手段が、
該無線端末から報告される該下り送信データの正常又は異常受信を示す応答情報に基づいて下り送信データレートを算出するデータレート算出部と、
該データレート算出部で算出された下り送信データレートと該保証品質情報としての所定の保証データレートとを比較する比較部と、
該下り回線品質情報により提示される該下り無線回線の第１の送信品質よりも、該送信バッファにおける未送信の下り送信データを一括送信するのに必要な第２の送信品質の方が高いか否かを判定する判定部と、
該比較部による比較の結果、該下り送信データレートよりも該保証データレートの方が高く、かつ、該判定部で上記第１の送信品質よりも上記第２の送信品質の方が高いと判定されると、該下り無線回線の送信品質が高くなる方向に該送信パラメータを調整する送信パラメータ調整部とをそなえたことを特徴とする、付記４記載の無線送信装置。
（付記６）
該送信パラメータ調整部が、
該判定部にて、上記第１の送信品質が上記第２の送信品質と同じか上記第２の送信品質よりも高いと判定されると、該送信パラメータ決定手段で決定した該送信パラメータを維持又は該下り無線回線の送信品質が低くなる方向に調整すべく構成されたことを特徴とする、付記５記載の無線送信装置。
（付記７）
該送信パラメータが、該下り送信データの送信ブロックサイズであることを特徴とする、付記１〜６のいずれか１項に記載の無線送信装置。
（付記８）
該送信パラメータが、該下り送信データの送信ブロックサイズと、該下り送信データについての変調方式、マルチコード数、サブキャリア数及び送信電力値のいずれか１以上とを含むことを特徴とする、付記１〜６のいずれか１項に記載の無線送信装置。
（付記９）
無線端末へ下り無線回線を通じて送信すべき下り送信データを一時的に保持する送信バッファをそなえた無線送信装置において、
該下り無線回線についての該無線端末での受信品質を示す下り回線品質情報に基づいて、該下り無線回線の送信品質に関する下り送信パラメータを決定し、
少なくとも該下り回線品質情報と該送信バッファにおける未送信の下り送信データ量に関する情報とに基づいて、上記決定した送信パラメータを制御することを特徴とする、無線送信装置における下り送信制御方法。
（付記１０）
該下り回線品質情報により提示される該下り無線回線の第１の送信品質よりも、該送信バッファにおける未送信の下り送信データを一括送信するのに必要な第２の送信品質の方が高いか否かを判定し、
上記第１の送信品質よりも上記第２の送信品質の方が高いと判定すると、該下り無線回線の送信品質が高くなる方向に該送信パラメータを調整することを特徴とする、付記９記載の無線送信装置における下り送信制御方法。
（付記１１）
上記第１の送信品質が上記第２の送信品質と同じか上記第２の送信品質よりも高いと判定すると、前記決定した送信パラメータを維持又は該下り無線回線の送信品質が低くなる方向に調整することを特徴とする、付記１０記載の無線送信装置における下り送信制御方法。
（付記１２）
前記の下り回線品質情報及び該送信バッファにおける未送信の下り送信データ量に関する情報に加えて、該下り無線回線について保証すべき保証品質情報に基づいて、前記決定し送信パラメータを制御することを特徴とする、付記９記載の無線送信装置における下り送信制御方法。
（付記１３）
該無線端末から報告される該下り送信データの正常又は異常受信を示す応答情報に基づいて下り送信データレートを算出し、
算出した下り送信データレートと該保証品質情報としての所定の保証データレートとを比較し、
該下り回線品質情報により提示される該下り無線回線の第１の送信品質よりも、該送信バッファにおける未送信の下り送信データを一括送信するのに必要な第２の送信品質の方が高いか否かを判定し、
上記比較の結果、該下り送信データレートよりも該保証データレートの方が高く、かつ、上記判定の結果、上記第１の送信品質よりも上記第２の送信品質の方が高いと、該下り回線の送信品質が高くなる方向に該送信パラメータを調整することを特徴とする、付記１２記載の無線送信装置における下り送信制御方法。
（付記１４）
上記第１の送信品質が上記第２の送信品質と同じか上記第２の送信品質よりも高いと判定すると、前記決定した送信パラメータを維持又は該下り無線回線の送信品質が低くなる方向に調整することを特徴とする、付記１３記載の無線送信装置における下り送信制御方法。
（付記１５）
該送信パラメータが、該下り送信データの送信ブロックサイズであることを特徴とする、付記９〜１４のいずれか１項に記載の無線送信装置における下り送信制御方法。
（付記１６）
該送信パラメータが、該下り送信データの送信ブロックサイズと、該下り送信データについての変調方式、マルチコード数、サブキャリア数及び送信電力値のいずれか１以上とを含むことを特徴とする、付記９〜１４のいずれか１項に記載の無線送信装置における下り送信制御方法。
【国際調査報告】
2007013159.tif 000009
2007013159.tif 000010
2007013159.tif 000011
2007013159.tif 000012